(57)【要約】      （修正有）【課題】オゾンを安全に利用することを容易ならしめる構造を備えたオゾン発生装置を提供する。【解決手段】オゾン除去器３とそこから排出される気体を吸引するポンプ４をオゾン発生装置を構成する筐体内部に備える。放電体２により生成したいオゾン含有気体は三方弁９の切り替えにより、オゾン含有気体吸引口６もしくはオゾン含有気体吐出口７に導かれる。ポンプ４により吸引される気体の流量は生成されるオゾン含有気体の流量を上回るように設定されている。従って、三方弁によりオゾン含有気体がオゾン含有気体吸引口に導かれるときにもオゾンが人の居る環境に放出されることはない。オゾンがオゾン含有気体吐出口に導かれる時には、オゾン処理対象１２から排出されたオゾン含有気体はオゾン含有気体導入口８に導かれ、人の居る環境に放出されない。【選択図】 図８
0003191157.tif 000002
【実用新案登録請求の範囲】
【請求項１】
オゾン発生機能を有する筐体であって、その内部に次の（Ａ）〜（Ｄ）の構成要素を備え、その外表面に（Ｅ）、（Ｆ）の構成要素を備え、且つ（Ｇ）、（Ｈ）の使用方法により使用されるオゾン発生装置。
（Ａ）交流高電圧電源（１）。
（Ｂ）酸素含有気体中に前記（Ａ）により高電圧を負荷し、オゾン含有気体を生成せしめる機能を有する放電体（２）。
（Ｃ）前記（Ｂ）と配管にて結合され（Ｂ）により生成されたオゾン含有気体を受容し、その気体中のオゾンを分解し酸素分子とするもしくは化学反応によりオゾンを除去する機能を有するオゾン除去器（３）。
（Ｄ）前記（Ｃ）に配管にて結合され（Ｃ）によりオゾンを除去されて排出された気体を吸引する機能を有するポンプ（４）。
（Ｅ）前記（Ｂ）に供給する酸素含有気体を導入するための酸素含有気体導入口（５）。
（Ｆ）前記（Ｂ）と（Ｃ）を結合する配管の途中で三方分岐部（１０）に接合され、オゾンを吸引して取り出すためのオゾン含有気体吸引口（６）。
（Ｇ）前記（Ｄ）で吸引される気体の流量は前記（Ｂ）にて生成するオゾン含有気体の流量を上回る。
（Ｈ）オゾン含有気体は前記（Ｆ）よりシリンジ等（１１）により吸引することにより取り出す。
【請求項２】
オゾン発生機能を有する筐体であって、その内部に次の（Ａ）〜（Ｄ）の構成要素を備え、その外表面に（Ｅ）〜（Ｇ）の構成要素を備え、且つ（Ｈ）、（Ｉ）の使用方法により使用されるオゾン発生装置。
（Ａ）交流高電圧電源（１）。
（Ｂ）酸素含有気体中に前記（Ａ）により高電圧を負荷し、オゾン含有気体を発生せしめる機能を有する放電体（２）。
（Ｃ）前記（Ｂ）と配管にて結合され（Ｂ）により生成されたオゾン含有気体を受容し、その気体中のオゾンを分解し酸素分子とするもしくは化学反応によりオゾンを除去するする機能を有するオゾン除去器（３）。
（Ｄ）前記（Ｃ）に配管にて結合され（Ｃ）よりオゾンを除去されて排出された気体を吸引する機能を有するポンプ（４）。
（Ｅ）前記（Ｂ）に供給する酸素含有気体を導入するための酸素含有気体導入口（５）。
（Ｆ）前記（Ｂ）にて発生したオゾン含有気体を外部に吐出して取り出すためのオゾン含有気体吐出口（７）。
（Ｇ）前記（Ｃ）のオゾン含有気体入口に配管にて結合されたオゾン含有気体導入口（８）
（Ｈ）前記（Ｃ）で吸引される気体の流量は前記（Ｂ）にて生成されるオゾン含有気体の流量を上回る。
【請求項３】
オゾン発生機能を有する筐体であって、請求項２の構造に加えて、請求項１（Ｆ）に記載のオゾン含有気体吸引口（６）を備え、請求項２（Ｂ）に記載の放電体にて生成されたオゾン含有気体は３方弁（９）により請求項１（Ｆ）に記載のオゾン含有気体吸引口（６）と請求項２（Ｆ）に記載のオゾン含有気体吐出口（７）のいずれかに導かれるように任意に切り替えることを可能にしたオゾン発生装置。
【請求項４】
オゾン発生機能を有する筐体であって、請求項１あるいは請求項３の構造に加えて、前記三方分岐部（１０）よりオゾン含有気体吸引口（６）に至る配管の途中に逆止弁（１３）を備えた構造のオゾン発生装置。
【考案の詳細な説明】
【技術分野】
【０００１】
本考案は、オゾンを研究、殺菌、漂白、洗浄、医療等の目的で用いるオゾンを発生するオゾン発生装置に係る。
【背景技術】
【０００２】
空気など酸素分子を含む気体中で気体放電するとオゾンが発生する。
【０００３】
オゾンは酸素分子以上に強力な酸化作用を持ち、しかも残留性がなく環境への負荷が少ないという利点をもつ。
【０００４】
そのため殺菌、漂白、洗浄、医療その他の様々な用途への利用が普及してきている。（参考文献  オゾンハンドブック：日本オゾン協会編  ページ３５９）
【０００５】
一方オゾンは人体への有害性があるためにその取扱いには細心の注意を必要とする。
【０００６】
特にオゾンを何らかの目的に使用した後に残留するオゾンの分解のためにオゾン分解触媒あるいは活性炭等が用いられている。
【非特許文献１】オゾンハンドブック：日本オゾン協会編
【考案の開示】
【考案が解決しようとする課題】
【０００７】
本考案はオゾンを安全に利用することを容易ならしめる構造を備えたオゾン発生装置を提供することを課題とする。
【課題を解決するための手段】
【０００８】
本考案は上記の課題を解決するために、オゾン発生装置の内部にオゾン分解機能を有するオゾン分解器を備える。
【０００９】
特に請求項１および図１に示すようにオゾンを利用するためにオゾン含有気体を発生しつつも、オゾンをオゾン分解器にて分解し、必要な際にのみオゾンを外部から吸引することによりオゾン含有気体を取り出せるようにする。
【００１０】
あるいは請求項２および図２に示すようにオゾン含有気体中のオゾンを利用した後に残留したオゾンをオゾン発生装置内に戻して分解させる手段をとる。
【考案の効果】
【００１１】
本考案により人体に有害なオゾンを極めて容易に取扱いすることを可能ならしめる。
【００１２】
本考案の実施の形態を図１〜図４に示す。
構造：図１、２、３、４はそれぞれ本考案の請求項１、２、３、４に記載するオゾン発生装置の構造の例である。これらをそれぞれ形態１、形態２、形態３、形態４とする。
これらの形態は共通して4交流高圧電源（１）、放電体（２）、オゾン分解器（３）、ポンプ（４）、酸素含有気体導入口（５）を有する。
【００１３】
形態１：図１に示すように酸素含有気体が酸素含有気体導入口（５）から導かれ、放電体（２）によりオゾン含有気体となり、オゾン除去器（３）を経て、オゾンを分解されポンプ（４）に吸引され外気へと放出される。
放電体（２）とオゾン分解器（３）の間に三方分岐部（１０）を有し、オゾン含有気体吸引口へと通じている。
【００１４】
形態２：図２に示すように酸素含有気体が酸素含有気体導入口（５）から導かれ、放電体（２）によりオゾン含有気体となり、オゾン含有気体吐出口（７）から外部へと取り出される。
【００１５】
形態３：図３に示すように酸素含有気体が酸素含有気体導入口（５）から導かれ、放電体（２）によりオゾン含有気体となる。
オゾン含有気体は三方弁（９）の切り替えにより、オゾン含有気体吸引口（６）もしくはオゾン含有気体吐出口（７）のいずれかに導かれる。
【００１６】
形態４：図４に示すように形態３の三方分岐部（１０）とオゾン含有気体吸引口（６）の間にオゾン含有気体を外部に吸引する場合にのみ解放する逆止弁（１３）を設けている。
【００１７】
使用方法：図５、図６それぞれ本考案の請求項１、２、４に記載するオゾン発生装置の形態すなわち形態１、形態２の使用方法の例である。
請求項３、４に記載するオゾン発生装置の形態すなわち形態３、形態４の使用方法は三方弁（９）の切り替えにより図５、図６のいずれの使用方法も取ることが出来る。
【００１８】
形態１：図５に示すようにし、放電体にて発生したオゾン含有気体をシリンジ等（１１）により吸引することにより取り出す。
シリンジ等を結合しないときは放電体（２）で発生したオゾン含有気体は全てオゾン分解器に導かれて、オゾンが分解されるためにオゾンが人の居る環境に放出されることはない。
【００１９】
形態２：図６に示すように取り出されたオゾン含有気体は例えば図５に示すようにオゾン処理対象（１２）に導かれるが、オゾン処理対象から排出されるオゾン含有気体はオゾン含有気体導入口（８）に導入される。
従って、オゾンは人の居る環境に放出されることはない。
【００２０】
形態３：図７に示すように三方弁の切り替えにより図５と図６のいずれの使用方法もとることが出来る。
【００２１】
形態４：使用方法の例を図８に示す。使用方法は形態３と同様であるが、逆止弁（１３）を設けていることにより、シリンジ等（１１）により吸引しない時にも外気がオゾン発生器内部に流入する事はなく、内部の外気による汚染の可能性を無くすることが出来る。
【産業上の利用可能性】
【００２２】
本考案によるオゾン発生装置は研究殺菌、漂白、洗浄、医療等の目的でオゾンを利用するうえで、特に安全にオゾンを利用できる手段を提供する。
【図面の簡単な説明】
【００２３】
【図１】形態１（請求項１に関る形態）のオゾン発生装置の構造例を示す。
【図２】形態２（請求項２に関る形態）のオゾン発生装置の構造例を示す。
【図３】形態３（請求項３に関る形態）のオゾン発生装置の構造例を示す。
【図４】形態４（請求項４に関る形態）のオゾン発生装置の構造例を示す。
【図５】形態１（請求項１に関る形態）のオゾン発生装置の使用方法例を示す。
【図６】形態２（請求項２に関る形態）のオゾン発生装置の使用方法例を示す。
【図７】形態３（請求項３に関る形態）のオゾン発生装置の使用方法例を示す。
【図８】形態４（請求項４に関る形態）のオゾン発生装置の使用方法例を示す。
【符号の説明】
【００２４】
１ 交流高電圧電源
２ 放電体
３ オゾン除去器
４ ポンプ
５ 酸素含有気体導入口
６ オゾン含有気体吸引口
７ オゾン含有気体吐出口
８ オゾン含有気体導入口
９ 三方弁
１０ 三方分岐部
１１ シリンジ
１２ オゾン処理対象
１３ 逆止弁
【図１】
0003191157.tif 000003
【図２】
0003191157.tif 000004
【図３】
0003191157.tif 000005
【図４】
0003191157.tif 000006
【図５】
0003191157.tif 000007
【図６】
0003191157.tif 000008
【図７】
0003191157.tif 000009
【図８】
0003191157.tif 000010